(57)【特許請求の範囲】
【請求項１】
屋根部と鍵盤部を有する楽器本体部と、前記鍵盤部に対する鍵操作により楽音信号を生成する楽音信号生成部を有する電子鍵盤楽器において、
前記楽音信号生成部により生成された楽音信号に応じた音を出力する複数の面スピーカを有し、
前記面スピーカとして、前記屋根部に前記鍵盤部の鍵配列方向の左右に離間して２個の面スピーカが配設され、
前記屋根部は、該屋根部の後縁部を軸部として回動することにより前記面スピーカの音出力面を開閉する蓋体と該屋根部の手前側に譜面止め係止部を有し、
前記蓋体は、前記２個の面スピーカに対応し、対応する面スピーカの音出力面を開閉する左右の蓋体と、前記左右の蓋体の自由端部を連結する連結部材を有し、
前記左右の蓋体を開いた状態において、前記譜面止め係止部と前記連結部材とにより譜面台が構成される、
ことを特徴とする電子鍵盤楽器。
【請求項２】
前記楽器本体部は、側面部を有し、
前記側面部は、背面部を含み、
前記複数の面スピーカの少なくとも１つは、前記背面部に配設され、
前記蓋体は、回動途中の少なくとも一状態において、回動角度保持機能を有する、
ことを特徴とする請求項１に記載の電子鍵盤楽器。
【発明の詳細な説明】
【技術分野】
【０００１】
本発明は、静電型スピーカ等の面スピーカを備え、楽音を面スピーカから出力する電子鍵盤楽器に関する。
【背景技術】
【０００２】
電気音響変換器として、厚みの薄い面スピーカが知られている。例えば、電極間に電圧を印加しクローン力を利用して駆動する静電型スピーカ（コンデンサスピーカともいう）や、圧電特性を有するフィルムを用いたものなどが知られている。
面スピーカは、平板の面積を広くとるほど、音の指向性が平板に垂直な方向に強くなり、その結果、音が遠くまで到達する。
【０００３】
このうち、静電型スピーカとして、最近注目されているものは、薄型フレキシブル（flexible）静電型スピーカである。これは、薄型・軽量であるとともに、柔軟性があるため、曲げることが可能で、曲げた後に応力が残らず、元の形状に戻りにくいという性質がある（特許文献１，２等参照）。
このような特徴を活用して、複数個の静電型スピーカを折り曲げ可能に連結することにより、カーテンスピーカを実現し、音場を自在にコントロールできるようにしたものが知られている（特許文献２）。
しかし、電子鍵盤楽器において、従来はダイナミック型（動電型）のコーンスピーカが使用され、静電型スピーカのような面スピーカを、その特色を活用して採用することが検討されていなかった。
【先行技術文献】
【特許文献】
【０００４】
【特許文献１】特開２０１０−６８０５３号公報
【特許文献２】特開２００８−２８６５２号公報
【発明の概要】
【発明が解決しようとする課題】
【０００５】
本発明は、上述した問題点を解決するためになされたもので、電子鍵盤楽器の構造に適合するように、面スピーカの配置や取付構造を工夫し、平面波を出力する面スピーカの特長を活用した電子鍵盤楽器を提供することを目的とするものである。
【課題を解決するための手段】
【０００６】
本発明は、請求項１に記載の発明においては、屋根部（２）と鍵盤部（９）を有する楽器本体部と、前記鍵盤部（９）に対する鍵操作により楽音信号を生成する楽音信号生成部（１２）を有する電子鍵盤楽器において、前記楽音信号生成部（１２）により生成された楽音信号に応じた音を出力する複数の面スピーカ（図２の６ａ，６ｂ，２２，図４の４１，４４）を有し、前記面スピーカとして、前記屋根部（２）に前記鍵盤部（９）の鍵配列方向の左右に離間して２個の面スピーカ（６ａ，６ｂ）が配設され、前記屋根部（２）は、該屋根部の後縁部（軸受部５ａ，５ｂ）を軸部として回動することにより前記面スピーカ（６ａ，６ｂ）の音出力面を開閉する蓋体（４）と該屋根部（２）の手前側に譜面止め係止部（３ｃ）を有し、前記蓋体（４）は、前記２個の面スピーカ（６ａ，６ｂ）に対応し、対応する面スピーカの音出力面を開閉する左右の蓋体（４ａ，４ｂ）と、前記左右の蓋体（４ａ，４ｂ）の自由端部（４ｄ，４e）を連結する連結部材（４ｃ）を有し、
前記左右の蓋体（４ａ，４ｂ）を開いた状態において、前記譜面止め係止部（３ｃ）と前記連結部材（４ｃ）とにより譜面台が構成されるものである。
従って、蓋体が面スピーカの音出力面（前面）を開いているとき、蓋体は音響反射板として機能し、面スピーカの出力を補強し、面スピーカから出力される音を反射して効率よく演奏者及び又は聴衆に伝搬することができる。特に、屋根部に面スピーカを設け、蓋体を音響反射板として機能させることにより、演奏者に音を伝搬させると効率がよい。
蓋体が面スピーカの音出力面（前面）を閉じているとき、蓋体は、この面スピーカの保護体として機能する。
屋根部において、左右の蓋体の間に、表示パネルや操作パネルが設置されている場合でも、蓋体の配設を妨げない。左右の蓋体に別れていても、連結部材が設けられているので、左右の蓋体を同時に回動させることができるから、作業性が悪くならない。
電子鍵盤楽器が表示パネルを有する場合、この表示パネルは、屋根部において、左右の蓋体が面スピーカの音発生面を閉じた状態において、左右の蓋体と連結部材とにより囲まれる領域に配設されるようにすればよい。
譜面止め係止部（３ｃ）は、例えば、屋根部を構成する天板（３）において、この天板の奥から手前側に立ち上がる段差の角部として実現できる。
【０００７】
面スピーカは、近似的に２次元面と見なせるような厚みの薄いスピーカであって、平坦で薄い平板形状であるが、薄い平板を湾曲させた曲面、さらには、任意の曲面や、折り曲げ面を形成した面スピーカなど、任意の形態の面スピーカも可能である。具体的には、静電型スピーカや、圧電フィルムを用いたスピーカなどがある。
面スピーカの種類として、大屋根スピーカ、屋根板(天板)スピーカがある。なお、別途、ダイナミック型コーンスピーカ等を有していてもよい。
【０００８】
電子鍵盤楽器に面スピーカを採用したことにより、次のような作用効果がある。
面スピーカから平面波が発生するので、聴取位置が電子鍵盤楽器から遠ざかっても減衰が少なく、よく聞こえる。一方、聴取位置が電子鍵盤楽器の至近位置になってもうるさく感じられない。
鍵盤以外の筐体部に配設された面スピーカから楽音が出力されるので、生鍵盤楽器の響板のように、電子鍵盤楽器の筐体面が響くように聞こえる。そのため、楽器らしい音がする。
面スピーカの音圧は、低音域が大きく減衰し、周波数が高くなるに従い音圧が大きくなるが、中高音域は面積干渉により平坦な周波数特性を呈する。ここで、面スピーカの面積（振動板の面積）を広くするに従って、面積分だけ低音域の音圧が上がる。
電子鍵盤楽器は、鍵盤部の鍵配列方向の幅が長い。そのため、電子鍵盤楽器の屋根部のように、面スピーカの一辺が鍵配列方向に沿うように、面スピーカを配設すれば、面スピーカの面積を広くとることができる。
【００１２】
請求項２に記載の発明においては、請求項１に記載の電子鍵盤楽器において、前記楽器本体部は、側面部（１）を有し、前記側面部（１）は、背面部（５）を含み、前記複数の面スピーカの少なくとも１つ（図４の４１）は、前記背面部（５）に配設され、前記蓋体（４）は、回動途中の少なくとも一状態において、回動角度保持機能を有するものである。
【００１３】
従って、蓋体が回動途中の少なくとも一状態にあるとき、蓋体は、屋根板に配設された面スピーカに対する音響反射板、及び又は、背面板に配設された面スピーカに対する音響反射板として機能し、面スピーカの出力を補強し、面スピーカから出力される音を反射して効率よく演奏者及び又は聴衆に伝搬することができる。蓋体が背面板に配設された面スピーカを覆うことができるようにした場合は、背面板に配設された面スピーカの保護体としても機能する。
上述した側面部は、筐体の、屋根板部(天面)と底面とを除く、前部や背面部を含む。従って、面スピーカの種類として、背面スピーカ、前板スピーカ、側板スピーカがある。
【００１４】
上述した各請求項の引用記載において、「発明を特定するための事項」に付した括弧内の符号は、後述する「発明を実施するための形態」における、「発明を特定するための事項」に対応するものに付した符号である。この符号は、「発明を特定するための事項」とその一例との対応を示すにすぎない。「発明を特定するための事項」は、この符号により対応付けられた一例に限定されない。
【発明の効果】
【００１５】
上述した本発明によれば、面スピーカが出力する、指向性が鋭く、遠くまで伝搬する平面波を音響反射板で反射させることにより、特定の伝搬方向の出力を補強するとともに、面スピーカから出力される音を反射して効率よく演奏者や聴取者に伝搬できるという効果がある。
【図面の簡単な説明】
【００１６】
【図１】本願発明の実施形態であるポータブルシンセサイザ型電子鍵盤楽器の外観図である。
【図２】図１の切断線から矢視Xの方向を見た垂直断面の概要図である。
【図３】図１，図２において、屋根板カバーを音響反射板及び譜面台として機能させる場合の説明図である。
【図４】本願発明の他の実施形態であるポータブルシンセサイザ型電子鍵盤楽器の外観図である。
【図５】図１に示した実施形態における面スピーカの一具体例である静電型の面スピーカの構造図である。
【図６】図１に示した実施形態における面スピーカの第２の具体例である静電型の面スピーカを示す部分平面図である。
【図７】図１に示した実施形態における面スピーカの第３の具体例である静電型の面スピーカを示す部分平面図である。
【図８】図１に示した実施形態における電子鍵盤楽器の機能ブロック図である。
【発明を実施するための形態】
【００１７】
図１は、本願発明の実施形態であるポータブルシンセサイザ型電子鍵盤楽器の外観図である。図１（ａ）は全体の斜視図、図１（ｂ）は図１（ａ）に示した屋根板カバー（蓋体）４の中央付近を部分的に拡大した斜視図である。
図２は図１の切断線から矢視Xの方向を見た垂直断面の概要図である。
図１において、１は左右の側面板（側面部）、２は屋根部である。屋根部２は、複数の部材で構成され、３は天板、４（４ａ，４ｂ，４ｃ）は屋根板カバー（蓋体）である。後述するディスプレイ１４及び操作パネル１３ｃが設置された部分も屋根部２の一部である。５（図２）は後傾斜板（背面板）である。
【００１８】
屋根板カバー４は、図示の例では、平板状のものであって、図示の状態では屋根部２の後方部分を閉じている。屋根板カバー４が閉じているとき、天板３の上面と屋根板カバー４の上面とは面一である。これに対し、一点鎖線で示す屋根板カバー４は、屋根部２の後方部分を開いた状態である。
この屋根板カバー４は、屋根部２の後縁部、具体的には、図２を参照して説明するように、後傾斜板（背面板）５の上端部を軸として回動するように取り付けられ、面スピーカ６の前面（音出力面）を開閉する蓋体である。屋根板カバー４の回動は、回動途中の回動角度を保持する機能を備えることが望ましい。
【００１９】
図２に示すように、左右の側面板１の間の屋根部２において、屋根板カバー４の下には、左右（後述する鍵盤部９の鍵配列方向）に離間した左側の面スピーカ６ａ、右側の面スピーカ６ｂが配設され、電子鍵盤楽器の内部空間７と外界とを仕切っている。
屋根板カバー４は、左側の屋根板カバー４ａ、右側の屋根板カバー４ｂを有し、それぞれ、左右の面スピーカ６ａ，６ｂに対応し、対応する面スピーカ６ａ，６ｂの音出力面（前面）を開閉する。
【００２０】
天板３の後端面、すなわち、手前側の天板３が奥側の、面スピーカ６ａ，６ｂと接する段差の角部（譜面止め係止部）３ｃは、天板３の奥から手前側に１段上がる段差の角部であり、図３を参照して後述するように譜面止め係止部となる。屋根板カバー４を閉じた状態において、屋根板カバー４の自由端は、段差の角部３ｃに対向し、天板３の上面と屋根板カバー４の上面とが面一となる。
【００２１】
８は底板（底面部）であり、図２に示すように、複数の部材で構成され、基板８ａに対し、前方傾斜底板（底板）８ｂと下後板（背面板）８ｃとが組み立てられたものであり、この前方傾斜底板８ｂは下前板８ｄと一体成形され、下後板８ｃは後上底板（底板）８ｅと一体成形されている。
９は鍵盤部、１０は上前部である。側面部は、側面板１に加えて上前部１０、上述した後傾斜板５、下後板８ｃ、下前板８ｄを含む。上前部１０には上前板１１がある。
【００２２】
側面板（側面部）１、天板３、屋根板カバー４、後傾斜板５、底板（底面部）８、上前板１１が電子楽器の筐体となる。これに、鍵盤部９と内部空間７（図２）を有するものが楽器本体部である。楽器本体部は、鍵盤部９に対するユーザの鍵操作により楽音信号を生成する電子回路ブロック（楽音信号生成部）１２を内蔵する。この電子回路ブロック１２は基板８ａの後方領域に載置されている。
【００２３】
ここで、天板３は、その上面において前方左領域、すなわち、鍵盤の低音域にのみ、1又は複数本の横長の線状孔３ａが形成されている。各線状孔３ａは、１段下がった線状板３ｂと対になっており、線状孔３ａが透孔（音孔）となる。厳密にいえば、線状孔３ａと線状板３ｂとの間の隙間が透孔（音孔）となる。天板３の中央寄り左右に、操作パネル１３ａ，１３ｂを備えている。天板３の後方の中央に、液晶表示器（LCD）などのディスプレイ（表示パネル）１４と操作パネル１３ｃがある。ディスプレイ１４は、電子鍵盤楽器の動作設定をするために、楽音パラメータを表示したり、自動演奏の曲名、楽譜を表示したりする。
【００２４】
図１（ｂ）に示すように、屋根板カバー（蓋体）４は、左側の屋根板カバー（蓋体）４ａ、右側の屋根板カバー（蓋体）４ｂとが、これらの向き合い辺に接する、矩形の連結部材４ｃによって結合されたものである。右側の屋根板カバー（蓋体）４ｂは、一点鎖線で示している。
図示の連結部材４ｃは、図３を参照して後述するように、譜面台の機能を兼ねる。そのため、左右の屋根板カバー（蓋体）４ａ，４ｂのそれぞれの手前部（自由端部）４ｄ，４ｅは、連結部材４ｃの手前部（軸端部）４ｆで連結する。
【００２５】
より具体的には、左右の屋根板カバー（蓋体）４ａ，４ｂの向き合い辺において、手前部４ｄ，４ｅの側に、それぞれ、例えば、軸穴のような、軸受部４ｇ，４ｈが形成されている。これに対応して、連結部材４ｃの左右の各辺において、手前部４ｆの側に短軸４ｉ，４ｊが突出している。この短軸４ｉは軸受部４ｇに嵌合し、短軸４ｊは軸受部４ｈに嵌合する。
【００２６】
その結果、連結部材４ｃは、その手前部４ｆにおいて、左右の蓋体の手前部４ｄ，４ｅを連結するとともに、手前部４ｆを軸として回動可能である。かつ、回動する任意の角度で角度保持される。この角度保持は、具体的には、嵌合をきつくすることにより、回動に対し大きな静止摩擦力が働くようにして実現する。あるいは、軸受部４ｇ，４ｈと短軸４ｉ，４ｊとの嵌合に代えて、大きなトルクが加わらないと回動しないようにした回動角度保持機能のあるヒンジ部品を採用すればよい。
【００２７】
左右の屋根板カバー４ａ，４ｂには、その手前部４ｄ，４ｅにおいて、取っ手４ｋ，４Lが突出している。この取っ手４ｋ，４Lは、図１に示す閉じられた状態の左右の屋根板カバー４ａ，４ｂを開く際に、それぞれの手前部４ｄ，４ｅを起こすためのものである。これに対応して、図１に示す天板３には、取っ手４ｋ，４Lを収容するとともに、取っ手４ｋ，４Lを引き出す隙間を持った窪み（符号省略）が形成されている。
一方、連結部材４ｃは、この連結部材４ｃが回動するときの自由端となる側の左右に取っ手４ｍ，４ｎが突出している。この取っ手４ｍ，４ｎは、ユーザが連結部材４ｃを回動させるときの手がかりとなる。これに対応して、左右の屋根板カバー４ａ，４ｂには、取っ手４ｍ，４ｎを収容するとともに、取っ手４ｍ，４ｎを引き出す隙間を持った窪み４ｏ，４ｐが形成されている。
ディスプレイ１４及び操作パネル１３ｃは、左右の屋根板カバー４ａ，４ｂが面スピーカ６ａ，６ｂの音発生面を閉じた状態において、左右の屋根板カバー４ａ，４ｂと連結部材４ｃとにより囲まれる領域に配設される。
【００２８】
一方、天板３と鍵盤部９との間の上前部１０には、面スピーカパネル１５が配設されている。この面スピーカパネル１５は、図２に示すように、筐体の一面をなし、枠体２１に面スピーカ２２が張設され、この面スピーカ２２がパンチングパネル板（保護板）２３で覆われたものである。このような面スピーカパネル１５が、天板３と鍵盤部９との間にある上前板１１の前面に取り付けられる。
なお、先に説明した左右の面スピーカ６ａ，６ｂは、むき出しの面スピーカでもよいので、単純な矩形で図示していたが、この面スピーカパネル１５と同様に、面スピーカ６ａ，６ｂに枠体及びパンチングパネル板（保護板）を備えた面スピーカパネルとしてもよい。
加えて、ダイナミック型コーンスピーカ１６（以下、単に「コーンスピーカ」という）が、上述した上前部１０における楽器本体部の左側領域に配設される。
【００２９】
図２を参照し、電子鍵盤楽器の内部構造を説明する。図中、図１と同じ部分には同じ符号を付している。
後傾斜板５の上端の左右には、左右の側面板１に接して左側の軸受部５ａ，右側の軸受部５ｂ（図示されない）が突出形成されている。一方、屋根板カバー４の奥側には、左右に、これらの軸受部５ａ，５ｂに回動支持される左側の短軸４ｒ，右側の短軸４ｓが突出形成されている（図１（ｂ）参照）。
【００３０】
屋根板カバー４は、その短軸４ｒが軸受部５ａに嵌合することにより、屋根部２の後縁部を軸として回動するように取り付けられている。この回動は、任意の角度で角度保持される回動途中の回動角度保持機能を有する。この角度保持機能は、先に説明した、連結部材４ｃの回動と同様に、嵌合をきつくして回動に対し大きな静止摩擦力が働くようにして実現する。あるいは、軸受部５ａと短軸４ｒとの嵌合に代えて、大きなトルクが加わらないと回動しないようにした回動角度保持機能のあるヒンジ部品を採用すればよい。
【００３１】
鍵盤フレーム９ａは、基板８ａと前方傾斜底板８ｂの上に取り付けられ、鍵盤フレーム９ａは、所定鍵とその隣接鍵との間の鍵盤下方に設けた垂直リブ９ｂにより補強され、白鍵９ｃ及び黒鍵９ｄを支持する。
コーンスピーカ１６は、基板８ａに立設されたフレーム板１７に取り付けられ、その前面開口部１６ａの中心軸C−C’方向は、前方斜め上である。従って、前面開口部１６ａは、上前板１１の背面及び複数の線状孔３ａの方向を向いている。また、上前板１１の下部は、保持部材１８によりフレーム板１７に支持される。
【００３２】
面スピーカパネル１５とコーンスピーカ１６とは、上前板１１を挟んで、上前板１１の前面と背面とに配設されている。
この上前板１１は、筐体の左右方向に延設された長尺体であり、音を通過させる1又は複数の透孔（音孔）１１ａが形成された格子状の骨組みを有する。上前板１１は、その枠体を除き、枠体で囲まれる部分のほぼ全面が格子部１１ｂである。
コーンスピーカ１６は、その前面開口部１６ａと1又は複数の透孔１１ａによる開口領域の一部とが対向するように配設される。言い換えれば、前面開口部１６ａは、上前板１１における複数の透孔１１ａの面積の総和である音響透過面積の一部と対向する。図示の例では、前面開口部１６ａが、鍵盤部９の鍵配列方向における、楽器本体部の左端部領域内に位置するように配設される。
【００３３】
一方、面スピーカパネル１５の面スピーカ２２は、その振動面と1又は複数の透孔１１ａによる開口領域の半分以上とが対向するように配設されている。言い換えれば、面スピーカ２２の背面は、上述した音響透過面積の半分以上と対向するようにする。
【００３４】
図示の例では、面スピーカ２２の振動面が上前板１１の長手方向に延び、鍵盤部９の鍵配列方向の幅とほぼ同じ幅にわたって、上前板１１の前面に配設されている。鍵盤部９の両側に拍子木９ｅ，９ｆがあり、拍子木９ｅ，９ｆを含めた鍵盤部９の鍵配列方向の幅が、面スピーカ２２とほぼ同じ幅になる。
従って、面スピーカ２２の横幅を長くして面スピーカ２２の面積を広くとることができる。
屋根部２に配設された左右の面スピーカ６ａ，６ｂは、屋根部２の中央のディスプレイ１４と操作パネル１３ｃの領域を除いた、鍵配列方向に配設されている。そのため、面スピーカ６ａ，６ｂもまた、その横幅を長くしてその面積を広くとることができる。
面スピーカの面積が広がるに従い、低音域の音圧が上がるため、低音域における音圧の低下度合いが小さくなる。なお、中高音域における音圧は面積干渉のために上がらない。
【００３５】
面スピーカから出る平面波は鋭い指向性があるから、演奏者に聞こえがよい面スピーカの配置は上前部１０となる。従って、上前部１０の高さが低いため、面スピーカ２２が広い面積が確保できない場合でも、鋭い指向性のために、演奏者に対して伝搬効率がよい。
一方、屋根部２は、上向きであるから、ここに配設した左右の面スピーカ６ａ，６ｂは、演奏者に聞こえがよいとは言いにくい。しかし、図３を参照して後述するように、屋根板カバー４を音響反射板として機能させることにより、演奏者に聞こえ良くすることができる。
【００３６】
左右の面スピーカ６ａ，６ｂ、面スピーカ２２は、電子楽器筐体の内部空間７と外界とを仕切る位置に配設されているから、面スピーカ６ａ，６ｂ，２２から出力された音が内部空間７と外界との双方に伝搬する。
上述した配設位置において、面スピーカ２２の前面から出力される音は、パンチングパネル板２３を経て外界に放出される。加えて、面スピーカ２２の背面から出力される音は、上前板１１の多数の透孔１１ａを経て、内部空間７に伝搬し、筐体部分、例えば、天板３や基板８ａ等を振動させて外界に音を２次放出させたり、内部空間７が外界に解放されている複数の線状孔３ａ等から外界に出たりする。
【００３７】
面スピーカパネル１５とコーンスピーカ１６とは、演奏者の側から見て重なっている。従って、上述したコーンスピーカ１６の前面開口部１６ａに対向する開口領域と、面スピーカ２２に対向する開口領域とは、少なくとも部分的に重複する。図示の例では、完全に重複する。
上述した左右の面スピーカ６ａ，６ｂ、面スピーカ２２及びコーンスピーカ１６は、電子回路ブロック（楽音信号生成部）１２から出力された楽音信号に応じた音を出力する。
面スピーカ２２は、その前面と背面とから音が放出される。上前板１１に形成された1又は複数の透孔１１ａは、背面から放出される音を筐体の内部空間７の側に逃がす働きをするので、面スピーカ２２の背面側の空気層が薄くても、これを補って、面スピーカの振動板と空気層とによる共振周波数が高くならない。
【００３８】
コーンスピーカ１６の前面開口部１６ａから放出された音は、面スピーカ２２を透過して前面に放出されるとともに、天板３の線状孔３ａからも放出される。静電型の面スピーカ２２は、膜状を呈し、音響透過性があるので、開口領域が重複しても、コーンスピーカ１６から出力される音も前面に出力される。
ここで、コーンスピーカ１６の前面開口部１６ａの中心軸C−C’の方向について検討する。図中、上前部１０の方向（水平方向）をθ＝0度としたとき、コーンスピーカ１６は正対向している。図示の例では、θ＝45度であるが、θ≦θ≦60度の範囲を、コーンスピーカ１６が上前部１０に対向している、という範囲とする。
この対向範囲において、前面開口部１６ａから出力された音は、上前部１０から出力される。同時に、天板３の線状孔３ａからは、前面開口部１６ａから出力された音、及び、コーンスピーカ１６の背面から出力された音が出力される。
【００３９】
目安として上述した角度θが60度よりも大きくなり、θ＝90度になるほど、コーンスピーカ１６の背面から出力される音（前面開口部１６ａの音とは逆位相の音）も上前部１０から出力され、前面開口部１６ａの音と位相干渉することになり、演奏者に直接に伝搬される音の、特に低音域の出力が低下するので、好ましくない。なお、天板３の線状孔３ａから出力される、コーンスピーカ１６の背面から出力される音については、演奏者の位置ではさほどの影響がない。
【００４０】
次に、上前板１１の細部構造を簡単に説明する。図示の例では、上前板１１が天板３と一体的に成型されている。上前板１１は、ディスプレイ１４及び操作パネル１３ｃが設置された部分を連結部として後傾斜板５と一体に成型されている。
上前板１１は、先に説明したように、複数の透孔１１ａが形成された格子部１１ｂを有し、格子部１１ｂの周囲領域に取付孔１１ｃ，１１ｄが形成されている。
上前板１１の下部は、図示しないネジ部材により保持部材１８に取り付けられる。
【００４１】
次に、面スピーカパネル１５について簡単に説明する。面スピーカパネル１５は、先に説明したように、枠体２１に面スピーカ２２とパンチングパネル板２３を組み立てたものである。
枠体２１は、中央に大きな矩形の開口部２１ａを備えた面スピーカ２２の支持体である。その上縁部２１ｂと下縁部２１ｃとにおける、鍵盤部９の鍵配列方向の２箇所以上において、係合突起２１ｄ，２１ｅが形成されている。各係合突起２１ｄ，２１ｅは、弾性変形部と係止部により構成されている。
【００４２】
面スピーカ２２は、枠体２１の前面から枠体２１の上縁部２１ｂ、下縁部２１ｃを回って背面まで張設されて接着剤等により枠体２１に固着される。
パンチングパネル板２３は、その上端部と下端部が折り曲げられ、面スピーカ２２を間に挟んで枠体２１に取付け固定される。
なお、上述したパンチングパネル板２３は、面スピーカ２２を保護し、音を透過するものであればよく、図示しない枠体にネットを張設したものや、合成樹脂製の板材で、複数の線状の透孔（音孔）が形成されたスピーカグリルであってもよい。
【００４３】
面スピーカパネル１５は、その係合突起２１ｄ，２１ｅを、それぞれ、上前板１１の取付孔（係着部）１１ｃ，１１ｄに装着する。このようにして、面スピーカパネル１５を上前板１１に対し、簡単に取付け固定することができる。
上述した面スピーカパネル１５は取り外すこともできる。係合突起２１ｄと取付孔１１ｃとの係合箇所の近傍において、天板３の線状孔３ａと線状板３ｂとの間の隙間に、マイナスドライバのような細長い工具を差し込み、係合突起２１ｄの係止部を押し下げて係止部と取付孔１１ｃとの係合を解除し、係止部を取付孔１１ｃから引き抜く。その後、面スピーカパネル１５を上方に浮かすことにより、下の係合突起２１ｅの係止部と取付孔１１ｄとの係合が解除される。このようにして、面スピーカパネル１５を上前板１１から外すことができる。面スピーカパネル１５には、鍵配列方向の複数箇所に係合箇所が設けられる。上述した線状孔３ａが近傍にない係合箇所においては、工具を差し込む透孔を天板３に形成しておく（図示省略）。
【００４４】
面スピーカパネル１５を上前板１１に取り付ける際に、枠体２１の係合突起２１ｄ，２１ｅの係止部と上前板１１の取付孔１１ｃ，１１ｄとによる係合により、取付けが簡単かつ自在である。さらに、面スピーカが振動することによる枠体２１のビリツキが上述した係合突起２１ｄ，２１ｅの弾性変形部の弾性によって発生しない効果を有する。
【００４５】
上述した説明において、面スピーカ２２への駆動電流の供給は、面スピーカ２２から引き出された入力線と、電子回路ブロック１２にある駆動回路の出力線とを、プラグ，ソケット等のコネクタを用いて電気的に接続すればよい。
あるいは、図示を省略するが、上述した係合突起２１ｄ，２１ｅ、及び、取付孔１１ｃ，１１ｄに、それぞれ電気的接触部材を設け、係合突起と取付孔とを、機械的な結合部材とするに加えて、電気的コネクタ（プラグ及びソケット）とすることもできる。
【００４６】
上述した面スピーカ２２は、モノラル信号の供給を受けてよい。しかし、面スピーカ２２は、鍵配列方向に長いため、左チャンネル用の面スピーカ２２Lと右チャンネル用の面スピーカ２２Rとに分けた面スピーカパネル１５として上前板１１に装着したり、面スピーカパネル１５自体を左チャンネル用、右チャンネル用に分けて、上前板１１に装着したりしてもよい。その際、左側領域にあるコーンスピーカ１６を、上前部１０の右側領域にも配設し、これらをステレオスピーカとしてもよい。
【００４７】
図３は、図１，図２において、屋根板カバー４を音響反射板及び譜面台として機能させる場合の説明図である。この説明図は、図２に示した断面図に、屋根板カバー４を書き加えたものである。
図中、図１と同じ部分には同じ符号を付しているか、符号の記載を省略している。
図２に示す屋根板カバー４（左右の屋根板カバー４ａ，４ｂ、連結部材４ｃ）を開くとともに、その中央部の連結部材４ｃを、図１（ｂ）に示した短軸４ｉ，４ｊを回動軸として回動させると、図３に示す状態となる。
３１は楽譜であり、その下端を、天板３の段差の角部（譜面止め係止部）３ｃに係止し、その背面上部を連結部材４ｃに立て掛けることができる。すなわち、屋根部２の手前側に位置し天板３の奥から手前側に１段上がる段差（図示の例では、天板３の後端面）の角部３ｃは、左右の屋根板カバー４ａ，４ｂを開いた状態において、連結部材４ｃと協働して譜面台を構成する。
なお、この段差の角部は、屋根部２の手前側に位置する天板３の上面（例えば、天板３の後端部）に図示しない小さな凸部又は凹部を設け、この凸部又は凹部に存在する、奥から手前側に立ち上がる段差の角部によっても実現できる。
【００４８】
このとき、屋根部２に設けられた左右の面スピーカ６ａ，６ｂから出力される音３２は、左右の屋根板カバー４ａ，４ｂの裏面で反射され、演奏者がいる側に伝搬される。屋根板カバー４の角度αは、この屋根板カバー４が回動角度保持機能を備えているので、音を伝搬させたい方向に応じて調整することができる。また、左右の面スピーカ６ａ，６ｂの背面から出力される音３３は内部空間７に放出され、楽器筐体を振動させたり、筐体が外界に開放されている部分、例えば、天板３の線状孔３ａから上方に出たりする。
【００４９】
また、面スピーカ２２の前面からも、演奏者がいる側に音３４が出力され、一方、面スピーカ２２の背面から内部空間７に出力される音の一部３５は、天板３の線状孔３ａから上方に放出される。
コーンスピーカ１６の前面開口部１６ａから出力される波は、その一部の音３６が、演奏者がいる側に伝搬され、その一部の音３７が天板３の線状孔３ａから上方に放出される。コーンスピーカ１６の背面から出力される音３８は、内部空間７に放出され、楽器筐体を振動させたり、筐体が開放されている部分から外界に出たりする。
屋根板カバー４の角度αを大きくすると、左右の面スピーカ６ａ，６ｂから出力される音３２は、そのまま上方に伝搬される割合が大きくなる。このとき、連結部材４ｃは、もはや譜面台として機能しないので、図1（ｂ）に示されたような左右の屋根板カバー４ａ，４ｂと面一の状態にする。
【００５０】
図４は、本願発明の他の実施形態であるポータブルシンセサイザ型電子鍵盤楽器の外観図である。図中、図１，図２と同様な部分には同じ符号を付している。
この実施の形態は、図１，図２に示した実施の形態に、面スピーカ（背面スピーカ）４１、面スピーカ（底面スピーカ）４４を加えたものである。
面スピーカ４１は、後傾斜板（背面板）５に1又は複数の透孔５ｃを設け、これらの透孔５ｃに対向するように、後傾斜板５に取付け固定される。
左右の屋根板カバー４ａ，４ｂの角度αが90度未満であれば、図３に示した場合と同様に、面スピーカ６ａ，６ｂから出力される音３２が左右の屋根板カバー４ａ，４ｂの裏面で反射される。
これに対し、角度αが180度近くになると、今度は、面スピーカ（背面スピーカ）４１の前面から出力される音４２が左右の屋根板カバー４ａ，４ｂの表面で反射される。面スピーカ４１の背面から出力される音４３は内部空間７に放出され、楽器筐体を振動させたり、筐体が開放されている部分から外界に出たりする。
【００５１】
一方、底板８の一部である前方傾斜底板８ｂに1又は複数の透孔４５を設けておく。面スピーカ４４は、これらの透孔４５に対向するように、前方傾斜底板８ｂに取付け固定されている。鍵盤フレーム９ａ’は、前方傾斜底板８ｂとの間に面スピーカ４４を取付け可能な形状にするとともに、鍵盤フレーム９ａ’には1又は複数の透孔（音孔）を形成しておく。
面スピーカ４４の前面から出力される音４６は、電子鍵盤楽器が置かれた載置台４７の表面で反射され、演奏者がいる側に伝搬される。
これに対し、面スピーカ４４の背面から出力される音４８は、鍵盤フレーム９ａ’の透孔や垂直リブの隙間を通って、鍵盤部９を振動させるとともに、複数の鍵（白鍵９ｃ、黒鍵９ｄ）の隙間から外界に漏れ出て、演奏者に伝搬される。
【００５２】
この他、後上底板（底板）８ｅに面スピーカ（底面スピーカ）を配設したり、下後板（背面板）８ｃに面スピーカ（背面スピーカ）を配設したりしてもよい。
図示のように、面スピーカを、電子鍵盤楽器の筐体の複数の箇所に配設されるように、電子鍵盤楽器の筐体に収容された場合、筐体の表面の大部分から音が放出されるので、自然鍵盤楽器のような音の響きが得られる。
【００５３】
また、これまでの説明では、面スピーカ６ａ，６ｂを屋根部２の天板３の側に設けていた。これに代えて、屋根板カバー４ａ，４ｂの裏面に配設するようにしてもよい。この場合も、屋根板カバー４ａ，４ｂを回動させる角度αに応じて、音の伝搬方向が変わるから、演奏者がいる方向に向けることができる。この場合、面スピーカ６ａ，６ｂが配設されていた場所にまで天板３が延長され、天板３が音響反射面として機能する。
一方、コーンスピーカ１６は、基板（棚板）８ａに配設されてもよく、電子楽器の複数の箇所に配設されてもよい。
【００５４】
上述した面スピーカパネル１５は、上前板１１に対して取付け取り外しが可能であり、工場で取り付けするのが簡単になるだけでなく、ユーザが好みで取付け取り外しをすることもできる。
面スピーカパネル１５を取り外した後には、スピーカパネルに嵌め代えればよい。このスピーカパネルには、面スピーカ２２がなく、かつ、コーンスピーカ１６の前面開口部１６ａに対向する部分にのみ、音孔を設ける。
また、面スピーカ２２（面スピーカパネル１５）、左右の面スピーカ６ａ，６ｂ、面スピーカ４１，４４など、電子鍵盤楽器の筐体に取り付ける面スピーカを、同一構造、同一寸法の規格統一された面スピーカ又は面スピーカパネルとし、ユーザが、好みに応じて、規格統一された面スピーカを、所定の複数箇所の任意の場所に取付け、取り外しできるようにすると利便性が高まる。
【００５５】
図５は、図１に示した実施形態における面スピーカの一具体例である、柔軟性を有する静電型の面スピーカ５０の構造図である。
の構造図である。
図５（ａ）は面スピーカ５０の積層構造を開いて見せた模式図、図５（ｂ）は面スピーカ５０の部分平面図、図５（ｃ）は面スピーカ５０の部分断面図、図５（ｄ）は面スピーカ５０の他の例を示す部分断面図である。
【００５６】
まず、積層構造の主要部を説明する。
図５（ａ）〜図５（ｃ）において、音響透過性を有する第１の固定電極シート５２と音響透過性を有する第２の固定電極シート５６との間に、音響透過性を有する第1の絶縁性シート５３と音響透過性を有する第２の絶縁性シート５５とを介して、特に薄くて柔軟性を有する振動電極シート（振動膜）５４が積層配置されている。
第１の絶縁性シート５３、第２の絶縁性シート５５は、薄くて柔軟性がある緩衝材（クッション材）である。また、上述した第１の固定電極シート５２、第２の固定電極シート５６も、薄くて柔軟性がある。
振動電極シート５４の前面から出力された音は、第1の絶縁性シート５３、第１の固定電極シート５２を透過し、この静電型の面スピーカ５０の前面から放出されるとともに、振動電極シート５４の背面から出力された音は、第２の絶縁性シート５５、第２の固定電極シート５６を透過し、面スピーカ５０の背面から放出される。
【００５７】
５１は音響透過性を有する第３の絶縁性シート、５７は音響透過性を有する第４の絶縁性シートであって、これらは、面スピーカ５０の背面を保護したり防水したりするとともに、感電を防止するためのカバーでもある。これらも柔軟性がある。
従って、この面スピーカ５０は、全体としても、柔軟性のある薄型フレキシブル（flexible）静電型スピーカである。
上述した振動電極シート５４を除き、他の第１の固定電極シート５２、第２の固定電極シート５６、第1の絶縁性シート５３、第２の絶縁性シート５５、第３の絶縁性シート、第４の絶縁性シート５７は、通気性を有している。なお、第３の絶縁性シート５１、第４の絶縁性シート５７は、省略可能である。
【００５８】
５８ａ〜５８ｅ，５９ａ〜５９ｅは、振動電極シート５４を、第1の絶縁性シート５３、第２の絶縁性シート５５により、部分的に支持するための接着層であって、その幅は狭く、例えば、4〜10［mm］であり、柔軟性があり、その厚みは薄く、例えば、0.1〜0.5［mm］である。図示の例において接着層はテープ状であり、具体的には両面接着テープを使用している。
振動電極シート５４は、接着層５８ａ〜５８ｅ，５９ａ〜５９ｅにより間隔をあけて支持される。
この接着層５８ａ〜５８ｅ，５９ａ〜５９ｅにより、振動電極シート５４は、接着層５８ａ〜５８ｅ，５９ａ〜５９ｅのない領域で、振動電極シート５４に対し、第1の絶縁性シート５３との間、及び、第２の絶縁性シート５５との間が僅かに離間して支持される。
【００５９】
振動電極シート５４、第1の絶縁性シート５３、第２の絶縁性シート５５は柔軟性を有するため、接触していても問題ない。第1の絶縁性シート５３、第２の絶縁性シート５５は、振動電極シート５４を支持するとともに、振動電極シート５４に適度な弾性応力を付与する。
接着層５８ａ〜５８ｅ，５９ａ〜５９ｅは、静電型の面スピーカ５０にとって必須のものではない。しかし、振動電極シート５４は、緩衝作用のある第1の絶縁性シート５３、第２の絶縁性シート５５との間で相互作用を及ぼし合いながら、これらと一体となって振動する。
従って、接着層５８，５９は、スペーサというよりも、振動電極シート５４と第1の絶縁性シート５３、第２の絶縁性シート５５との相互作用を安定させる機能がある。接着層５８，５９は、また、面スピーカ５０の全体を折り曲げたときに、多層状に形成された積層シートの各層が破損しないようにしたり、ずれて皺ができないようにしたりする役目を果たす。
【００６０】
図５（ｃ）において、振動電極シート５４は、接着層５８ａ〜５８ｅにより、第1の絶縁性シート５３に等間隔の第１の支持位置で支持されるとともに、接着層５９ａ〜５９ｅにより、第２の絶縁性シート５５に同じ第１の支持位置で支持される。第１の支持位置の間隔は、1［cm］〜10［cm］とし、試作品では3.6［cm］とした。
図５（ｄ）において、振動電極シート５４は、接着層５８ｆ，５８ｇにより、第１の絶縁性シート５３に等間隔の第１の支持位置で支持されるとともに、接着層５９ｆ，５９ｇにより、第２の絶縁性シート５５に等間隔の第２の支持位置で支持される。第１の支持位置と第２の第１の支持位置とは交互に配置されるので、振動電極シート５４は、交互に支持される。
【００６１】
なお、図５（ｂ），図５（ｃ）に示したように、面スピーカ５０の端部（図示右端部）は、接着層５８ｅ，５９ｅ，５８ｈ，５９ｈで支持することが好ましい。面スピーカ５０の周縁部において、各シートの層間を、接着層５８ｅ，５９ｅ，５８ｈ，５９ｈと同様な接着層（両面接着テープ）で相互に接着したり、接着剤を塗布したりして、層が離れないようにする。面スピーカ５０の周縁部は、縫合したり、合成樹脂でまとめたり、図示しない枠体に取り付けられたりする。
【００６２】
上述した振動電極シート５４は、例えば、ポリエチレンテレフタレート（PET）又はポリプロピレン（PP）等の、合成樹脂薄膜の両面又は片面に、アルミニウム等の導電性を有する金属を蒸着したり、導電性塗料を塗布したりしたものであり、その厚さは数［μm］〜数十［μm］である。
上述した第１の固定電極シート５２、第２の固定電極シート５６は、ポリエチレンテレフタレートの片面又は両面に、アルミニウム等の導電性を有する金属を蒸着したり、導電性塗料を塗布したりして、その厚みを貫通する多数の貫通孔５２ａ，５６ａが形成されたパンチングメタルである。この試作品では、厚さが0.5［mm］である。
第１の固定電極シート５２、第２の固定電極シート５６は、パンチングメタルに代えて、金網を用いてもよいし、不織布にアルミニウム蒸着をしたものを用いてもよい。後者の場合、第３の絶縁性シート５１と第１の固定電極シート５２とを一体化し、第４の絶縁性シート５７と第２の固定電極シート５６とを一体化することができる。
上述した第１の絶縁性シート５３、第２の絶縁性シート５５は、例えば、発泡合成樹脂や不織布である。
上述した第３の絶縁性シート５１、第４の絶縁性シート５７も、例えば、発泡合成樹脂や不織布であるが、材料選択の自由度が大きい。
【００６３】
図６は、図１に示した実施形態における面スピーカ２２の第２の具体例である、柔軟性を有する静電型の面スピーカ６０を示す部分平面図である。
先の図５においては、接着層５８ａ〜５８ｅ，５９ａ〜５９ｅを図示縦方向に並べて互いに平行配置していた。図６においては、加えて、接着層６１ａ，６１ｂ，６１ｃを、図示横方向に並べて互いに平行配置したものである。
図示の接着層６１ａ，６１ｂは、接着層５８ａ〜５８ｄ，５９ａ〜５９ｄと同じ間隔で配置されている。
上述した縦方向、横方向に配置する２種の接着層に代えて、１枚の格子状接着層を用いれば、接着層の厚みが均一になる。
この面スピーカ６０の積層断面構造は、接着層の配置を除けば図５（ｃ）、図５（ｄ）と同じであるので図示を省略する。
【００６４】
図５、図６に示した例では、接着層５８ａ〜５８ｈ，…、６１ａ，６１ｂ，６１ｃ，…により、振動電極シート５４と第1の絶縁性シート５３、振動電極シート５４と第２の絶縁性シート５５が接着されていた。
これらに加えて、第３の絶縁性シート５１と第１の固定電極シート５２との層間、第１の固定電極シート５２と第1の絶縁性シート５３との層間、第２の絶縁性シート５５と第２の固定電極シート５６との層間、第２の固定電極シート５６と第４の絶縁性シート５７との層間のうち、任意の層間を、図示しない接着層（両面接着テープ）で接着してもよい。特に、面スピーカ６０の周縁部においては、全ての層間を接着層（両面接着テープ）で接着してもよい。
【００６５】
このようにすることにより、積層体としての一体性が増し、層間に隙間ができたり、層間がずれたりしない。図示しない両面接着テープによる接着位置は、図５（ｃ），図５（ｄ）、図６に示す接着層５８ａ〜５８ｈ，…、６１ａ，６１ｂ，６１ｃ，…の支持位置と一致させることが、音響透過率を下げないようにする点で望ましい。
しかし、層間によって、接着位置を異ならせてもよい。また、層間によって、縦方向に並べる１次元平行配置と、これに直交する横方向に並べる１次元平行配置の選択を変えたりすることができる。
【００６６】
図７は、図１に示した実施形態における面スピーカ２２の第３の具体例である、柔軟性を有する静電型の面スピーカ７０Ａ，７０Ｂを示す部分平面図である。
この具体例は、図４に示した積層断面構造を有した面スピーカ５０を1ユニットとし、複数のユニットを、間隔をあけて配置したものを、１つの面スピーカ７０Ａ又は７０Ｂとして形成したものである。
すなわち、面スピーカ７０Ａ，７０Ｂは、複数のユニットと、これら複数のユニットのうち隣接するユニット同士を連結する連接部に区分された積層シートである。
図７（ａ）においては、複数の面スピーカユニットを１次元配置し、図７（ｂ）においては、複数の面スピーカユニットを２次元配置（縦横方向）している。
【００６７】
図７（ａ）において、静電型の面スピーカユニット７１1〜７１5は、図５（ｃ）又は図５（ｄ）に示した積層断面構造を有し、面スピーカ７０Ａの振動面となる。これに対し、スピーカユニットの連接部７２の領域においては、図５（ｃ）又は図５（ｄ）に示した導電層（第１の固定電極シート５２、振動電極シート５４、第２の固定電極シート５６）がなく、絶縁層（第３の絶縁性シート５１、第1の絶縁性シート５３、第２の絶縁性シート５５、第４の絶縁性シート５７）のみを残しており、これらが連接部７２を構成する。
【００６８】
連接部７２の領域においては、さらに、第1の絶縁性シート５３、第２の絶縁性シート５５をなくしてもよい。この場合、まず、各面スピーカユニット７１1〜７１5として、それぞれ、第１の固定電極シート５２、第1の絶縁性シート５３、振動電極シート５４、第２の絶縁性シート５５、第２の固定電極シート５６、及び、接着層５８ａ〜５８ｈ、５９ａ〜５９ｈ、６１ａ〜６１ｃの積層構造を予め作成しておき、これらの面スピーカユニット７１1〜７１5の上面と下面とを、第３の絶縁性シート５１、第４の絶縁性シート５７で覆うことにより、面スピーカ２２を形成することができる。この場合、第３の絶縁性シート５１、第４の絶縁性シート５７が連接部７２を構成する。
このような工程で製造すれば、箇々の面スピーカユニット７１1〜７１5の面積が小さくても、広い面積の面スピーカ７０Ａ，７０Ｂが得られる。
【００６９】
連接部７２においては、第１，第２の固定電極シート５２，５６の層及び振動電極シート５４の層が存在しないので、この連接部７２で、折り曲げたり折り畳んだりしても、電極シートが傷まない。
ここで、連接部７２に存在する絶縁性シートの層は、隣接するユニットにおける同じ層から連続して存在する。言い換えれば、これらの層は、全てのユニット及び連接部に共通の連続した層である。そのため、連接部を設けるために、別の連結部材を設けたり、この別の連結部材を隣接するユニットと縫合や接着等により結合したりする工程が不要である。
【００７０】
図７（ｂ）において、各面スピーカユニット７３1〜７３4は、図７（ａ）に示した面スピーカユニット７１1〜７１5と同様の積層構造を有し、面スピーカ７０Ｂの振動面となる。
この具体例では、面スピーカユニット７３1〜７３4は、横方向が連接部７４ａにより連接され、縦方向が連接部７４ｂにより連接されている。連接部７４ａ，７４ｂにおける積層構造は、図７（ａ）に示した連接部７２と同様である。さらに、静電型スピーカユニット７３1〜７３4の周縁部７４ｃも、図示しない枠体を取り付ける領域とするために、連接部７４ａ，７４ｂと同じく、導電層のない積層構造にしている。
【００７１】
上述した図７（ａ）の面スピーカユニット７１1〜７１5、図７（ｂ）の面スピーカユニット７３1〜７３4は、各ユニットの各電極にリード線を接続し、これらのリード線をユニット毎に独立して駆動回路に接続する。又は、連接部７２、７４ａ，７４ｂにおいて、隣接するユニットの対応する電極同士を短いリード線でつなぎ、各ユニットの各電極を共通のリード線で駆動回路に接続してもよい。
【００７２】
図８は、図１に示した実施形態における電子鍵盤楽器の機能ブロック図である。
図1に示した鍵盤部９における各白鍵、各黒鍵の操作は、検出部８１により検出され、検出信号が制御部８２に出力される。制御部８２は、演奏データを音源部８３に出力する。この演奏データには、押鍵及び離鍵のタイミング、押鍵又は離鍵された鍵に対応するノートナンバ（音高）、ベロシティ（押鍵速度）、アフタタッチ量等のデータが含まれている。上述した制御部８２は、機器組み込みプログラムをCPUに実行させることにより実現される。
【００７３】
図１に示した電子鍵盤楽器には、操作パネル１３ａ，１３ｂ，１３ｃが設置され、これらに複数の操作子（ボタン、ノブ）８４が配置されている。操作子８４としては、例えば、楽器音色等の設定操作用スイッチや、自動演奏のための選曲、再生開始や再生停止等を制御するスイッチがある。
操作子８４の操作は、検出部８１により検出され、制御部８２に出力され、制御部８２では、各操作子８４に割り付けられた機能を、電子鍵盤楽器に設定する。音源部８３に対する設定の場合は、音源部８３に音源設定データを出力する。
【００７４】
上述した電子鍵盤楽器は、自動演奏部８５と曲データ記憶部８６が内蔵されている。自動演奏部８５は、操作子の操作により、曲データ記憶部８６に記憶された曲を読出し、MIDI（Musical Instrument Digital Interface）形式の演奏データを制御部８２に出力する。上述した自動演奏部８５も、機器組み込みプログラムをCPUに実行させることにより実現される。
MIDIインタフェース８７は、パーソナルコンピュータや他の電子楽器から供給されるMIDI形式の演奏データを、下後板８ｃに設けられた端子から入力し、制御部８２に出力する。
【００７５】
音源部８３は、制御部８２から入力された演奏データに応じて、音色等の音源設定や、押鍵操作に応じた音高と強さのステレオ（L，Rの2チャンネル）の楽音信号を生成し、増幅器８８L，８８R，９０L，９０R、９１L、及び、９１Rに出力する。
図示の音源部８３は、１つの楽音の発生用に、ステレオ用の左ソース、右ソースを使用する。これらの音源ソースは、図示しない音源波形メモリに記憶されている。
また、音源部８３は、モノラルソースを使用するとし、操作された鍵の帯域等に応じて、左右の音量比を制御（音像定位制御）するものでもよい。
【００７６】
増幅器８８L，８８Rの出力は、それぞれ、ヘッドフォン用の外部出力端子８９L，８９Rに出力される。増幅器９０Lの出力は図1に示したコーンスピーカ１６に出力される。図１に示した左側領域にあるコーンスピーカ１６を、上前部１０の右側領域にも配設した場合、音源部８３のRチャンネルの出力を、図示しない増幅器（９０R）を介して、右側領域に配設したコーンスピーカに出力する。
増幅器９１L、９１Rの出力は、それぞれ、昇圧トランス９２L，９２Rの１次コイルに出力される。昇圧トランス９２L，９２Rの２次コイルには、図1に示した面スピーカパネル１５の面スピーカ２２、及び、左側の面スピーカ６ａ、右側の面スピーカ６ｂが接続される。
【００７７】
ここで、図１，図２に示した面スピーカパネル１５は、左チャンネル用の面スピーカ２２Lと左チャンネル用の面スピーカ２２Rとに分かれている。また、面スピーカ６ａ，面スピーカ６ｂは、それぞれ、左右のチャンネル用の面スピーカとして使用する。
昇圧トランス９２Lの２次コイルには、図1に示した面スピーカ６ａ，６ｂ，２２の一例としての柔軟性を有する静電型の面スピーカ、例えば、図５に示した面スピーカ５０が接続される。昇圧トランス９２Lの２次コイルは、中点タップCTを有し、中点タップCTには、高圧のバイアス直流電源９３Lと高抵抗の抵抗器９４Lとの直列回路が接続されている。上述した２次コイルの両端が端子９５L，９６L、抵抗器９４Lの他端が端子９７Lとなる。
【００７８】
図示の例では、上述した２次コイルの端子には、複数の面スピーカの各電極が並列に接続される。端子９５Lは、面スピーカ６ａ，２２Ｌにおける、図５に示した第１の固定電極シート５２に接続される。端子９６Lは、第２の固定電極シート５６に接続され、端子９６Lは、振動電極シート５４に接続される。端子９５L，９６L，９７Lは、それぞれ、３個の端子（３回路）を有するコネクタ（プラグ、ソケット）により実現される。
面スピーカ６b，２２Rも同様であり、端子９５R，９６R，９７Rは、それぞれ、３個の端子（３回路）を有するコネクタ（プラグ、ソケット）により実現される。
【００７９】
ここで、静電型面スピーカの動作原理を、振動電極シート５４を電位の基準にとって説明する。
バイアス直流電源９３Lにより、第１の固定電極シート５２及び第２の固定電極シート５６は、E0＝数百［V］の負に帯電し、振動電極シート５４と第１の固定電極シート５２との間、及び、振動電極シート５４と第２の固定電極シート５６との間に、互いに逆方向の静電吸引力が発生する。
【００８０】
この状態で、第１の固定電極シート５２及び第１の固定電極シート５６に、逆位相の楽音信号±e［V］（eはE0より十分に小さい値）が印加されると、第１の固定電極シート５２及び第２の固定電極シート５６は、それぞれ、（E0＋e）［V］、（E0−e）［V］で負に帯電する。その結果、振動電極シート５４と第１の固定電極シート５２との電極間、及び、振動電極シート５４と第２の固定電極シート５６との間の静電吸引力のバランスがくずれ、結果として、楽音信号e［V］に比例した静電吸引力が発生し、振動電極シート５４は、楽音信号e［V］の正負に応じてプッシュプル駆動される。
【００８１】
上述した説明では、増幅器９０L，９０Rの出力を直接にコーンスピーカ１６へ出力していた。コーンスピーカ１６は、面スピーカ６ａ，６ｂ，２２L，２２Rの低い周波数側の音圧低下を補うために用いる。そのため、通常は、ウーファスピーカと呼ばれるものを使用する。そこで、コーンスピーカ１６の周波数特性に応じた楽音信号を供給するために、低域通過型フィルタ回路を、増幅器９０Lの入力側又は出力側に挿入することが望ましい。
同様に、増幅器９１L，９１Rの入力側又は出力側に、静電型スピーカの周波数特性に応じた楽音信号を昇圧トランス９２L，９２Rに供給するための高域、又は、中高域通過型フィルタ回路を挿入してもよい。
上述したフィルタ回路の特性は、コーンスピーカ１６から出力される音と面スピーカ６ａ，６ｂ，２２L，２２Rから出力される音とが、周波数特性上においてバランスするように設計する。
【００８２】
さらにまた、高域再生用のツィータスピーカ（例えば、ドーム型ダイナミックスピーカ）を設け、増幅器９０L，９０Rはツィータスピーカにも楽音信号を分配してもよい。面スピーカ（静電型スピーカ）７とツィータスピーカとを選択的に切替えて使用するためのスイッチを設けてもよい。
図示を省略したが、音源部８３に、図１に示した面スピーカ６ａ，６ｂ，２２L，２２Rに専用のソースが用意されていてもよい。この場合、この専用のソースに基づく楽音信号を、増幅器９１L，９１Rで増幅し、昇圧トランス９２L，９２Rに供給する。
【符号の説明】
【００８３】
１…側面板、２…屋根部、３…天板、３ａ…線状孔、３ｂ…線状板、３ｃ…段差の角部（譜面止め係止部）、４，４ａ，４ｂ…屋根板カバー、４ｃ…連結部材、４ｄ，４ｅ…手前部（自由端部）、４ｆ…手前部（軸端部）、４ｇ，４ｈ…軸受部、４ｉ，４ｊ…短軸、４ｋ，４L，４ｍ，４ｎ…取っ手、４ｏ，４ｐ…窪み、４ｑ…開口部、４ｒ，４ｓ…短軸、５…後傾斜板（背面板）、５ａ，５ｂ…軸受部、５ｃ…透孔、６，６ａ，６ｂ…面スピーカ、７…内部空間、８…底板、８ａ…基板、８ｂ…前方傾斜底板、８ｃ…下後板（背面板）、８ｄ…下前板、８ｅ…後上底板、９…鍵盤部、９ａ，９ａ’…鍵盤フレーム、９ｂ…垂直リブ、９ｃ…白鍵、９ｄ…黒鍵、９ｅ，９ｆ…拍子木、１０…上前部、１１…上前板、１１ａ…透孔、１１ｂ…格子部、１１ｃ，１１ｄ…取付孔、１２…電子回路ブロック、１３ａ，１３ｂ，１３ｃ…操作パネル、１４…ディスプレイ、１５…面スピーカパネル、１６…コーンスピーカ、１６ａ…前面開口部、１７…フレーム板、１８…保持部材、２１…枠体、２１ａ…開口部、２１ｂ…上縁部、２１ｃ…下縁部、２１ｄ，２１ｅ…係合突起、２２，２２L，２２R…面スピーカ、２３…パンチングパネル板、
３１…楽譜、３２，３３，３４，３５，３６，３７…音、４１…面スピーカ（背面スピーカ）、４２，４３…音、４４…面スピーカ（底面スピーカ）、４５…透孔、４６，４８…音、４７…載置台、
５０…面スピーカ、５１…第３の絶縁性シート、５２…第１の固定電極シート、５２ａ…貫通孔、５３…第１の絶縁性シート、５４…振動電極シート、５５…第２の絶縁性シート、５６…第２の固定電極シート、５６ａ…貫通孔、５７…第４の絶縁性シート、５８ａ〜５８ｈ，５９ａ〜５９ｈ…接着層、
６０…面スピーカ、６１ａ，６１ｂ，６１ｃ…接着層、
７０Ａ，７０Ｂ…面スピーカ、７１1〜７１5，７３1〜７３4…面スピーカユニット、７２…連接部、７４ａ，７４ｂ…連接部、７４ｃ…周縁部、
８１…検出部、８２…制御部、８３…音源部、８４…操作子、８５…自動演奏部、８６…曲データ記憶部、８７…MIDIインタフェース、８９L，８９R…外部出力端子、８８L，８８R，９０L，９０R，９１L，９１R…増幅器、９２L，９２R…昇圧トランス、９３L，９３R…バイアス直流電源、９４L，９４R…抵抗器、９５L，９５R，９６L，９６R，９７L，９７R…端子
【図１】
0005621397.tif 000002
【図２】
0005621397.tif 000003
【図３】
0005621397.tif 000004
【図４】
0005621397.tif 000005
【図５】
0005621397.tif 000006
【図６】
0005621397.tif 000007
【図７】
0005621397.tif 000008
【図８】
0005621397.tif 000009